(57)【要約】      （修正有）【課題】  新しい運動具として、つま先立ちで立ち続けたり、歩いたりすることのできる、つま先立長靴である。一般的につま先立ちをすると、下半身の筋肉が絞まり、筋力アップにも良いことが分かっていても、つま先立ちを続けることが困難であった。そんなつま先立ちを容易にできるようにしたつま先立長靴を提供する。【解決手段】  長靴体１の内部に、つま先部位から踵部位に向けて、踵部位が上方に位置するように、傾斜する傾斜中底２を設けたことを特徴とする。【選択図】  図２
2006051305.tif 000002
【特許請求の範囲】
【請求項１】
長靴体（１）の内部に、つま先部位から踵部位に向けて、踵部位が上方に位置するように、傾斜する傾斜中底（２）を設けたことを特徴とするつま先立長靴。
【請求項２】
靴底（３）に、靴底（３）の外方に張り出す安定靴底（４）を設けたものである請求項１記載のつま先立長靴。
【請求項３】
傾斜中底（２）の表面に、複数の斜め上方突起体（５）、（５）を設けたものである請求項１、２記載のつま先立長靴。
【発明の詳細な説明】
【技術分野】
【０００１】  本発明は、つま先立ちを持続して行うことで、健康の増進を図ることのできるつま先立長靴に関する。
【背景技術】
【０００２】  世に、健康の増進を図ることのできるグッツは数々あるが、足でつま先立ちして健康の増進を図ることができるのはバレエぐらいであり、おそらくグッツとしては存在しなかったのでないかと思う。本出願にあたり、先行技術がないか調査をしてみると、スリッパの後ろ半分を除去して、スリッパをつま先立ちで履く、ダイエットスリッパというものがあった。しかし、それはスリッパであり、靴ではない。長靴で本発明になる出願と、その目的、構成、効果が、同じか類似したものは見当たらなかった。
【発明の開示】
【発明が解決しようとする課題】
【０００３】  昔から「健康は歩くことから始まる」と言われて久しいが、現代人は忙しい生活環境のせいか、確かに昔の人に比較して歩くことが少なくなっている。しかも、食材の多様化や食文化の変化などで、食生活そのものに偏重を来たし、摂取するカロリーが過剰ぎみになっている今日では、肥満体の人間を多数生み出し、糖尿病や心臓病患者の予備軍を造り出している。こうした現状の改善を図るのに、運動をすることがオーソドックスな解決策であることには違いない。しかし、廻るましく展開する今日の社会を生き抜くには、たっぷりと運動に時間を割く余裕は、なかなかとれないというのが現実ではなかろうか。そこで短時間で健康体を維持する運動をしたいのであるが、短時間で健康体を取り戻す運動など容易にはない。だが、新しい運動具があるとすると話は違ってくる。それが本発明が提供しようとする、短時間の運動で健康体が維持できる運動具である。本発明になる新しい運動具は、つま先立ちで立ち続けたり、歩ったりすることのできる、つま先立長靴である。一般的につま先立ちをすると、下半身の筋肉が絞まり、筋力アップにも良いことが分かっていても、つま先立ちという状態を長く続けることが困難であった。そんなつま先立ちを容易にできるようにしたのが、本発明になるつま先立長靴である。
【課題を解決するための手段】
【０００４】  上記目的を達成するために、本発明におけるつま先立長靴は次のような構成としている。
【請求項１】
長靴体１の内部に、つま先部位から踵部位に向けて、踵部位が上方に傾斜する位置にくるように、傾斜する傾斜中底２を、長靴体１の踵部位を中心に設ける。
【請求項２】
靴底３に、靴底３の外方に鍔状に張り出す安定靴底４を設けたものである請求項１記載のつま先立長靴。
【請求項３】
傾斜中底２の表面に、足裏に痛みの刺激を与えることのできる複数の斜め上方突起体５、５を、斜め上方に向けて設けたものである請求項１、２記載のつま先立長靴。
【発明の効果】
【０００５】  本発明は上記のとおり構成されているので、次に記載する効果を奏する。
１．傾斜中底２の上に、足裏を乗せることができるので、つま先立ちの状態を長時間維持継続することができる。
２．ふくら脛、太もも、尻、腰など下半身の各部位の筋肉が絞まり、ダイエット効果があり、肥満体の改善を図ることができる。
３．肛門、尿道、膀胱などの括約筋が強化され、失禁や糞漏れなどの防止や予防に役立つ。
４．つま先立ちを継続することによって、浮き指症状が改善され、扁平足になりにくくなる。
５，靴底３の外方に、安定靴底４を設けたもにあっては、つま先立ちすることで小さくなった靴底３の面積を大きなものにし、安定靴底４があることによって、つま先立ちを続けるのに安定感を出すことができる。
６．傾斜中底２の表面に複数の突起体５、５を斜め上方に向け設けたものにあっては、複数の突起体５、５により、足裏が痛くなるので、つま先立ちをする時間を増加させることができる。
【発明を実施するための最良の形態】
【０００６】  本発明の実施するための最良の形態を、図面を参照に説明する。図１〜５は、請求項１に関する実施例である。図１、２で示すように、本実施例では、長靴体１の内部に、足裏のつま先部位から踵部位に向けて、踵部位が上方に傾斜する位置にくるように、傾斜する傾斜中底２を、長靴体１の踵部位を中心に設けてある。従って、本つま先立長靴を用いて足を入れたなら、足裏のつま先部位から踵部位に向けて、踵部位が上方に傾斜する状態に、足裏が傾斜中底２の上に乗っかり、足は長靴の中で、つま先立ち状態になる。このつま先状態は、足裏が傾斜中底２の上に乗っかっているので、安定した状態であり、つま先状態を継続することができる。このつま先立ち状態を一定時間継続したり、あるいはつま先状態で足踏みをしたり、歩き回ったりすることができる。人はつま先立ちをすることによって、ふくら脛、太もも、尻、腰など下半身の各部位の筋肉が絞まるばかりでなく、、肛門、尿道、膀胱などの括約筋が強化されるという効果が出てくる。このように、つま先立ちを継続することによって、肥満体の改善を図ることができたり、失禁や糞漏れなどの防止や予防に役立つなどの効果をもたらす。また、浮き指症状が改善され、扁平足になりにくいなどの効果もある。【０００７】  図３、４、５は、いずれも側面断面図で、本発明のもう一つの実施例である。図３は、長靴１の内部に設ける傾斜中底２の傾斜角度を緩いものにしたものである。図４は、長靴１の内部に設ける傾斜中底２の傾斜角度を中程度のものにしたものである。図５は、長靴１の内部に設ける傾斜中底２の傾斜角度を鋭いものにしたものである。本実施例では、慣れないうちは傾斜中底２が傾斜角度の緩いものから始めて、慣れてくるに従い、傾斜中底２の傾斜角度の中程度のもの、傾斜中底２の傾斜角度の鋭いものに取り替えて、順次高度な運動ができるようにレベルアップしていくものである。このようにつま先立ち運動を無理なく、楽しんで体力の向上に取り組めるものになっている。本実施例は、傾斜中底２を交換するだけで、傾斜中底２の傾斜角度を替えることができるものである。【０００８】  図６は、請求項２に関する実施例で、靴底３に、靴底３の外方に鍔状に張り出す安定靴底４を設けた請求項２の実施例の斜視図である。本発明は、靴底３に、靴底３の外方に鍔状に張り出す安定靴底４を設けたものである。つま先立ちするように仕様した長靴では靴底３の面積が小さなものになるので、その靴底３に安定靴底４を張り出させることで大きなものにして、つま先立ちを続けるのに安定感を出させることができる。【０００９】  図７は、請求項３に関するもので、傾斜中底２の表面の斜視図である。本実施例では、傾斜中底２の表面に足裏に痛みの刺激を与えることのできる複数の斜め上方突起体５、５を、斜め上方に向けて設けたものである。本実施例では、傾斜中底２の表面に斜め上方に向けて複数個の斜め上方突起体５、５が設けられているので、この突起体５、５がつま先立ちの足裏に垂直に当たり、痛みを感じることから、この突起体５、５が足裏に当たらないように、足裏を浮かしてつま先立ちをするので、つま先立ち行為を促進・遂行の役割を果たす。
【産業上の利用可能性】
【００１０】  今日の日本社会にあっては、生活習慣・生活環境の変化に伴い、子供から大人まで運動不足の慢性化に陥っている。併せて、多様で豊富な食材や食生活の変化によって齎されたものが、一億総肥満体化といっても過言ではない状況を招いている。こうした状況下にあって、肥満体の改善を図ったり、筋肉の強化を図ったりすることのできる新しい運動具の開発が嘱望されていた。それが本発明になるつま先立長靴である。このつま先立ち運動具は、これを使用することで下半身の筋力の強化を図ることができる。本発明になる運動具が日本人の、強いては地球上の文明国の人々の健康の増進に役立つものであることを願うものである。
【図面の簡単な説明】
【００１１】
【図１】請求項１記載実施例の斜視図である。
【図２】Ａ−Ａ線断面図である。
【図３】断面図その１である。
【図４】断面図その２である。
【図５】断面図その３である。
【図６】請求項２記載実施例の斜視図である。
【図７】請求項３記載実施例の傾斜中底２の表面の斜視図である。
【符号の説明】
【００１２】（１）    は  長靴体
（２）    は  傾斜中底
（３）    は  靴底
（４）    は  安定靴底
（５）    は  斜め上方突起体
（６）    は  インナー
【図１】
2006051305.tif 000003
【図２】
2006051305.tif 000004
【図３】
2006051305.tif 000005
【図４】
2006051305.tif 000006
【図５】
2006051305.tif 000007
【図６】
2006051305.tif 000008
【図７】
2006051305.tif 000009